(57)【要約】【課題】連結パイプとの溶接部分の外観不良や強度低下を抑制して連結パイプを均一の長さで固設することが可能な仮設足場用連結構造体を提供する。【解決手段】支柱１の円周面２に支柱方向の筒部７によって突設されたくさび受け５に対して、連結パイプＰが固設された連結部材１１を楔部材６０によって楔着する構造において、連結部材は、くさび受けの上下に配置される上側部材３０及び下側部材４０とを備え内側にはくさび受けの筒部と連通する連通部２５が形成された連結本体部２０と、連結パイプが固着されるパイプ固着部５０とがそれぞれ別部材として形成されかつ一体化されているとともに、パイプ固着部は連結パイプの貫通孔５５を有していて連結パイプは貫通孔にその端部Ｐ１を貫通して所定長さに固着されている。【選択図】図１
2019194425.tif 000002
【特許請求の範囲】
【請求項１】
支柱の円周面に支柱方向の筒部によって突設されたくさび受けに対して、連結パイプが固設された連結部材を楔部材によって楔着する構造において、
前記連結部材は、前記くさび受けの上下に配置される上側部材及び下側部材とを備え内側には前記くさび受けの筒部と連通する連通部が形成された連結本体部と、前記連結パイプが固着されるパイプ固着部とがそれぞれ別部材として形成されかつ一体化されているとともに、前記パイプ固着部は連結パイプの貫通孔を有していて連結パイプは前記貫通孔にその端部を貫通して所定長さに固着されている
ことを特徴とする仮設足場用連結構造体。
【請求項２】
前記パイプ固着部の内側において前記貫通孔と前記連結パイプとの溶接が行われている請求項１に記載の仮設足場用連結構造体。
【請求項３】
前記連結部材は、前記上側部材及び下側部材は支柱側に前当部を有し、前記前当部はその前面が支柱円周面と当接し受容する連通部内方への湾曲部が形成されている請求項１または２に記載の仮設足場用連結構造体。
【請求項４】
前記楔部材のくさび挿入方向には長溝部が形成されていて、前記連結部材の上側部材及び下側部材の前当部の湾曲部の後面が該長溝内に当接するように構成されている請求項３に記載の仮設足場用連結構造体。
【請求項５】
前記楔部材の長溝部の溝縁部に傾斜面が形成され、前記楔部材の楔着時に前記連結部材の上側部材又は下側部材の少なくとも一方の前当部の湾曲部の後面が前記傾斜面と当接嵌入されている請求項４に記載の仮設足場用連結構造体。
【請求項６】
前記楔部材の後面に凹状のパイプ受け部が形成されている請求項１ないし５のいずれか１項に記載の仮設足場用連結構造体。
【請求項７】
前記楔部材の先端面に前面側から後面側にかけて先端凹面部が形成されている請求項１ないし６のいずれか１項に記載の仮設足場用連結構造体。
【発明の詳細な説明】
【技術分野】
【０００１】
本発明は、支柱に設けられたくさび受けに対して、連結パイプが固設された連結部材を楔部材によって固定する仮設足場用連結構造体に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に連結パイプが手すりとして先行して設置される。
【０００３】
手すりである連結パイプの設置に際しては、例えば、図２１に示すように、支柱１から突設されて支柱方向の筒部７が形成されたくさび受け５に対し、連結パイプＰが固設された連結部材１１１を楔部材１４０によって楔着する連結構造体１００が用いられる。この連結構造体１００は、例えば、くさび受け５の筒部７と連通する連通部１２５，１３５が形成された側面視略コ字状の筒体からなり、支柱１と反対側のパイプ取付部１１５から支柱１方向へ突出する突出部１５０を有する連結部材１１１と、パイプ取付部１１５側に上下方向に延びて連結部材１１１の突出部１５０が摺動自在に内嵌される凹状の長溝部１４５を有する楔部材１４０とを備える（例えば、特許文献１参照）。
【０００４】
この連結構造体１００において、連結部材１１１は、パイプ取付部１１５の上端から延出してくさび受け５の上端に載置される上取付片１２０と、パイプ取付部１１５の下端から延出してくさび受け５の下方に配置される下取付片１３０と、上取付片１２０と下取付片１３０とを一体に接続する接続片１１２と、上取付片１２０の下端から下方に突出されてくさび受け５の筒部７内に挿入される突片１１３とを有する。また、楔部材１４０は、長溝部１４５の下端側を閉塞して形成された下側ストッパ部１４６と、長溝部１４５の下端に形成された貫通孔１４７と、楔部材１４０の上端側に形成された上側ストッパ部１４８とを有する。
【０００５】
上記連結構造体１００では、楔部材１４０を連結部材１１１の上取付片１２０の連通部１２５からくさび受け５の筒部７を経て下取付片１３０の連通部１３５へ挿通させることにより、楔部材１４０が連結部材１１１とくさび受け５との間に楔着されて固定される。また、楔部材１４０の挿通に際しては、楔部材１４０の長溝部１４５にパイプ取付部１１５から突出する突出部１５０が内嵌されていることにより、楔部材１４０が突出部１５０に対して長溝部１４５を摺動させながら落下するため、楔部材１４０は突出部１５０に進行方向を案内されて斜行することがない。
【０００６】
この連結構造体にあっては、連結部材のパイプ取付部に連結パイプの端部が当接されて、溶接等によって一体に固着される。しかしながら、連結パイプは、製造時の誤差等により長さにばらつきが生じる場合がある。そのため、連結部材に取り付けられた連結パイプの長さは不均一となり、仮設足場の設置に際して、寸法が合わずに適切に組み立てることが困難となるおそれがある。そこで、設置の寸法を合わせるために、あらかじめ連結パイプの端部を切断して長さを均一にしておく等の煩雑な作業が必要であった。
【０００７】
また、連結パイプは、製造誤差や寸法調整のための切断等により、端面がパイプの軸方向に対して垂直ではない場合がある。連結パイプの端面が傾斜していると、連結部材のパイプ取付部の表面に当接させた際に連結パイプが水平状態とならない。そこで、従来の連結構造体では、連結パイプを水平に固着するために、傾斜部分に溶加材を多く使用して溶接する必要がある。そのため、溶接部分の外観不良や、溶接部分に偏りが生じて強度が低下する等の問題があった。
【先行技術文献】
【特許文献】
【０００８】
【特許文献１】特開２０１５−４８６７７号公報
【発明の概要】
【発明が解決しようとする課題】
【０００９】
本発明は前記の点に鑑みなされたものであり、連結パイプとの溶接部分の外観不良や強度低下を抑制して連結パイプを均一の長さで固設することが可能な仮設足場用連結構造体を提供するものである。
【課題を解決するための手段】
【００１０】
すなわち、請求項１の発明は、支柱の円周面に支柱方向の筒部によって突設されたくさび受けに対して、連結パイプが固設された連結部材を楔部材によって楔着する構造において、前記連結部材は、前記くさび受けの上下に配置される上側部材及び下側部材とを備え内側には前記くさび受けの筒部と連通する連通部が形成された連結本体部と、前記連結パイプが固着されるパイプ固着部とがそれぞれ別部材として形成されかつ一体化されているとともに、前記パイプ固着部は連結パイプの貫通孔を有していて連結パイプは前記貫通孔にその端部を貫通して所定長さに固着されていることを特徴とする仮設足場用連結構造体に係る。
【００１１】
請求項２の発明は、前記パイプ固着部の内側において前記貫通孔と前記連結パイプとの溶接が行われている請求項１に記載の仮設足場用連結構造体に係る。
【００１２】
請求項３の発明は、前記連結部材は、前記上側部材及び下側部材は支柱側に前当部を有し、前記前当部はその前面が支柱円周面と当接し受容する連通部内方への湾曲部が形成されている請求項１または２に記載の仮設足場用連結構造体に係る。
【００１３】
請求項４の発明は、前記楔部材のくさび挿入方向には長溝部が形成されていて、前記連結部材の上側部材及び下側部材の前当部の湾曲部の後面が該長溝内に当接するように構成されている請求項３に記載の仮設足場用連結構造体に係る。
【００１４】
請求項５の発明は、前記楔部材の長溝部の溝縁部に傾斜面が形成され、前記楔部材の楔着時に前記連結部材の上側部材又は下側部材の少なくとも一方の前当部の湾曲部の後面が前記傾斜面と当接嵌入されている請求項４に記載の仮設足場用連結構造体に係る。
【００１５】
請求項６の発明は、前記楔部材の後面に凹状のパイプ受け部が形成されている請求項１ないし５のいずれか１項に記載の仮設足場用連結構造体に係る。
【００１６】
請求項７の発明は、前記楔部材の先端面に前面側から後面側にかけて先端凹面部が形成されている請求項１ないし６のいずれか１項に記載の仮設足場用連結構造体に係る。
【発明の効果】
【００１７】
請求項１の発明に係る仮設足場用連結構造体は、支柱の円周面に支柱方向の筒部によって突設されたくさび受けに対して、連結パイプが固設された連結部材を楔部材によって楔着する構造において、前記連結部材は、前記くさび受けの上下に配置される上側部材及び下側部材とを備え内側には前記くさび受けの筒部と連通する連通部が形成された連結本体部と、前記連結パイプが固着されるパイプ固着部とがそれぞれ別部材として形成されかつ一体化されているとともに、前記パイプ固着部は連結パイプの貫通孔を有していて連結パイプは前記貫通孔にその端部を貫通して所定長さに固着されているため、連結パイプの固着時に取り付け位置を微調整することができ、製造誤差がある連結パイプであっても均一な長さとして固着することが可能となるとともに、従来に比して連結パイプとの溶接部分の外観が良好となって強度も向上される。
【００１８】
請求項２の発明は、請求項１において、前記パイプ固着部の内側において前記貫通孔と前記連結パイプとの溶接が行われているため、溶接部分が目立たなくなって外観が良好となるとともに、溶接部分の強度が向上する。
【００１９】
請求項３の発明は、請求項１または２において、前記連結部材は、前記上側部材及び下側部材は支柱側に前当部を有し、前記前当部はその前面が支柱円周面と当接し受容する連通部内方への湾曲部が形成されているため、支柱と当接する連結部材の安定性が向上する。
【００２０】
請求項４の発明は、請求項３において、前記楔部材のくさび挿入方向には長溝部が形成されていて、前記連結部材の上側部材及び下側部材の前当部の湾曲部の後面が該長溝内に当接するように構成されているため、楔部材が挿入時及び楔着時に位置決めされてがたつきの発生が抑制され、適切な位置での安定的な連結が可能となる。
【００２１】
請求項５の発明は、請求項４において、前記楔部材の長溝部の溝縁部に傾斜面が形成され、前記楔部材の楔着時に前記連結部材の上側部材又は下側部材の少なくとも一方の前当部の湾曲部の後面が前記傾斜面と当接嵌入されているため、楔部材の挿入時及び楔着時の安定性が向上する。
【００２２】
請求項６の発明は、請求項１ないし５において、前記楔部材の後面に凹状のパイプ受け部が形成されているため、連結解除時に楔部材を連結パイプ上に安定して載置させることができ、連結解除状態を維持しやすくなる。
【００２３】
請求項７の発明は、請求項１ないし６において、前記楔部材の先端面に前面側から後面側にかけて先端凹面部が形成されているため、楔部材の挿入時に先端部と連結本体部の上側部材や下側部材との引っかかりや衝突等が発生しにくくなって円滑に挿入させることができる。
【図面の簡単な説明】
【００２４】
【図１】本発明の一実施形態に係る仮設足場用連結構造体の連結解除時の斜視図である。
【図２】図１の仮設足場用連結構造体の連結時の斜視図である。
【図３】図２の仮設足場用連結構造体の連結時の要部の縦断面図である。
【図４】図３の仮設足場用連結構造体のＡ−Ａ断面図である。
【図５】連結部材の分解斜視図である。
【図６】連結部材の正面図及び背面図である。
【図７】図６の連結部材のＢ−Ｂ断面図である。
【図８】楔部材の斜視図である。
【図９】図２の仮設足場用連結構造体の連結時の要部の切り欠き斜視図である。
【図１０】図２の仮設足場用連結構造体の楔部材の楔着時における連結部材の湾曲部近傍の拡大断面図である。
【図１１】抜け止めバンド部を有する仮設足場用連結構造体の連結解除時の斜視図である。
【図１２】図１１の仮設足場用連結構造体の連結時の斜視図である。
【図１３】図１２の仮設足場用連結構造体の連結時の要部の縦断面図である。
【図１４】抜け止めバンド部を有する連結部材の斜視図である。
【図１５】図１２の仮設足場用連結構造体の連結時の要部の切り欠き斜視図である。
【図１６】楔部材が凹状の長溝部を有する仮設足場用連結構造体の連結時の要部の切り欠き斜視図である。
【図１７】図１６の仮設足場用連結構造体の連結時の要部の縦断面図である。
【図１８】図１６の仮設足場用連結構造体の楔部材の楔着時における連結部材の湾曲部近傍の拡大断面図である。
【図１９】楔部材がパイプ受け部と先端凹面部を有する仮設足場用連結構造体の縦断面図である。
【図２０】図１９の楔部材の斜視図である。
【図２１】従来の連結構造体の連結時の要部の縦断面図である。
【発明を実施するための形態】
【００２５】
図１，２に示す本発明の一実施形態に係る仮設足場用連結構造体１０は、建築物の工事等に際して建築物の外周に設置される仮設足場用の支柱１に対し、手すり等を構成する連結パイプＰを連結させて支柱間に架設させるための構造体である。連結パイプＰは、横架材、水平材、斜材等の適宜の棒状部材である。
【００２６】
仮設足場用の支柱１は、図１に示すように、円周面２の複数個所にくさび受け５が取り付けられている。この支柱１は、施工現場等において所定間隔で複数本立設される。くさび受け５は、図１，２に示すように、連結構造体１０が連結される部材であって、支柱１の円周面２から突設された筒壁面６によって支柱方向の貫通孔である筒部７が形成される。複数のくさび受け５は、支柱１の周囲に９０度ずつ４箇所配置され、これらを１組として支柱１の軸方向に適宜の間隔で複数設けられる。図において、符号６ａは支柱１の円周面２から対向して突設されたくさび受け５の筒側壁部、６ｂは対向する筒側壁部６ａ，６ａと一体に形成されて下方側が支柱方向へ傾斜するくさび受け５の筒傾斜壁部である。なお、図２では、連結構造体１０と接続しているくさび受け５以外のくさび受けは図示を省略している。
【００２７】
本発明の第１実施形態に係る仮設足場用連結構造体１０は、図２〜４に示すように、支柱１に突設されたくさび受け５に対して、連結パイプＰが固設された連結部材１１を楔部材６０によって楔着する。この連結構造体１０は、連結パイプＰの両端に取り付けられて２本の支柱１，１間に架設可能とされる。
【００２８】
連結部材１１は、図５〜７に示すように、連結本体部２０と、パイプ固着部５０とが、それぞれ別部材として形成されかつ一体化されているとともに、パイプ固着部５０に連結パイプＰの端部Ｐ１が貫通して所定長さに固着される。
【００２９】
連結本体部２０は、図３に示すように、くさび受け５の上下に配置される上側部材３０及び下側部材４０とを備え、上側部材３０と下側部材４０とが接続片部２１により接続されて側面視略コ字状に形成される。また、連結本体部２０の内側には、くさび受け５の筒部７と連通する連通部２５が形成される。
【００３０】
接続片部２１は、図３，５に示すように、くさび受け５側に形成された傾斜辺部２２と、連結パイプＰ側に形成された取付段部２３とを有する。傾斜辺部２２は、くさび受け５の筒壁面６の筒傾斜壁部６ｂの傾斜に対応して傾斜するとともに、くさび受け５への連結時に筒壁面６に当接または近接する。取付段部２３は、後述のパイプ固着部５０が一体に取り付けられる部位である。取付段部２３には、パイプ固着部５０を貫通した連結パイプＰの端部Ｐ１を差し込み可能なパイプ差込切欠部２４が形成されている。
【００３１】
連通部２５は、図３，５に示すように、上側部材３０の内側に形成される上連通部３５と、下側部材４０の内側に形成される下連通部４５とからなり、上連通部３５とくさび受け５の筒部７と下連通部４５とが一体に連通して、後述の楔部材６０のための楔挿入部を構成する。
【００３２】
上側部材３０は、図１〜５に示すように、くさび受け５の筒壁面６の筒側壁部６ａ，６ａ上に載置される上側片部３１，３１と、上側片部３１，３１にその支柱１側に位置して一体に形成された上前当部３２とを有し、上側片部３１，３１と上前当部３２とで囲まれた空間部が上連通部３５に相当する。上前当部３２には、その前面が支柱１の円周面２と当接し受容するように上連通部３５内方へ湾曲した上湾曲部３３が形成されている。また、図３，５，６に示すように、上前当部３２の下端側は、下方へ向かって幅が縮小するように垂下した垂下部３４からなり、くさび受け５への連結時に垂下部３４がくさび受け５の筒部７内へ進入する。
【００３３】
下側部材４０は、図１〜３，５に示すように、くさび受け５の筒壁面６の筒側壁部６ａ，６ａ下方に配置される下側片部４１，４１と、下側片部４１，４１にその支柱１側に位置して一体に形成された下前当部４２とを有し、下側片部４１，４１と下前当部４２とで囲まれた空間部が下連通部４５に相当する。下前当部４２には、その前面が支柱１の円周面２と当接し受容するように下連通部４５内方へ湾曲した下湾曲部４３が形成されている。この下側部材４０では、上側部材３０の上側片部３１，３１の連結パイプ側と、下側片部４１，４１の連結パイプ側においてそれぞれ接続片部２１，２１により一体に接続されている。
【００３４】
パイプ固着部５０は、図１〜４に示すように、連結パイプＰが固着される部材である。このパイプ固着部５０は、図３，５，６に示すように、連結本体部２０の取付段部２３に溶接等の適宜の手法により連結本体部２０と一体化される。パイプ固着部５０は、板状部材からなり、両側部に面方向に突設されて取付段部２３と嵌着する取付片部５１を有しており、取付段部２３に取り付けられて連結本体部２０の後辺部２６と略面一となる。
【００３５】
このパイプ固着部５０は、図３，５，６，７に示すように、連結パイプＰを固着するための貫通孔５５を有している。貫通孔５５には、連結パイプＰの端部Ｐ１が貫通されて、溶接等の適宜の手法により固着される。貫通孔５５の大きさ（直径）は、連結パイプＰの直径に対応して決定される。図３，５，７に示すように、実施形態のパイプ固着部５０では、貫通孔５５に連結パイプＰの端部Ｐ１が貫通され、パイプ固着部５０の外側において貫通孔５５と連結パイプＰとの溶接が行われる。符号Ｗはパイプ固着部５０の外側の貫通孔５５の周縁部に形成された連結パイプＰとの溶接部である。
【００３６】
連結パイプＰの取り付けに際して、パイプ固着部５０の貫通孔５５に貫通された連結パイプＰでは、図３，４，７に示すように、その端部Ｐ１が連結本体部２０内部へ進入する。ここで、図６，７に示す実施形態のように、連結パイプＰの直径が連結本体部２０の横幅より大きい場合、連結本体部２０の取付段部２３にパイプ差込切欠部２４が形成されていることにより、連結パイプＰの端部Ｐ１は連結本体部２０の内部へ所定量進入可能となる。このようにパイプ固着部５０では、連結パイプＰを貫通孔５５に貫通させて連結本体部２０内部に所定量進入させることができるため、連結パイプＰの固着時に際してその取り付け位置を微調整することが可能となる。これにより、製造時の誤差等により連結パイプＰの長さにばらつきがある場合でも、連結パイプＰの端部Ｐ１の連結本体部２０内への進入量を調整することによって、パイプ固着部５０から延設される連結パイプＰの長さを所望する長さに設定することができる。従って、製造誤差がある複数の連結パイプであっても、それぞれパイプ固着部５０から延設される連結パイプをほぼ均一な長さとして固着することができる。
【００３７】
パイプ固着部５０と連結パイプＰとの溶接は、連結パイプＰの端部Ｐ１が貫通孔５５を貫通した状態で行われるため、連結パイプＰの固着時の水平状態（パイプ固着部５０に対して略垂直）に端面の垂直性が影響しない。すなわち、パイプ固着部５０の貫通孔５５に連結パイプＰを嵌挿させて溶接するだけで、容易に水平状態での固着が可能となる。その際、連結パイプＰがパイプ固着部５０に対して傾いていないことから、連結パイプＰとの溶接部Ｗが連結パイプＰの全周にわたって略均一に形成される。そのため、従来に比して連結パイプＰとの溶接部分の外観が良好になるとともに、溶接部分に偏りがなくなって強度が向上する。
【００３８】
また、パイプ固着部５０では、図７に示す連結パイプＰとの溶接部Ｗ１のように、パイプ固着部５０の内側において貫通孔５５と連結パイプＰとの溶接を行ってもよい。パイプ固着部５０の内側での溶接は、パイプ固着部５０を連結本体部２０と一体化させる前に行うことにより、溶接作業がやりやすくなる。このように、パイプ固着部５０の内側で溶接することにより、溶接部分が目立たなくなって外観が良好となる。特に、パイプ固着部５０の内側のみで溶接した場合、パイプ固着部５０の外側に溶接部分が露出しないため、外観がより良好となる。なお、パイプ固着部５０の内外両側で溶接を行えば、一方のみで溶接した場合よりも溶接部分の強度がより向上する。
【００３９】
楔部材６０は、図２，３，４，８，９に示すように、連結部材１１の連通部２５（３５，４５）とくさび受け５の筒部７に対して貫通楔着されて、くさび受け５に対して連結部材１１を固定する部材であって、楔本体６１と、長溝部６５とを有する。楔本体６１は、図３，６に示すように、支柱側の面が直線状に形成された直線部６２と、くさび受け側の面が先端部方向へ縮小するように逆テーパ状に傾斜状に形成された楔傾斜部６３とを有する楔形状からなる。楔傾斜部６３は、図３に示すように、くさび受け５の筒傾斜壁部６ｂの傾斜に対応して形成され、楔部材６０の楔着時にくさび受け５の筒傾斜壁部６ｂに圧接される。
【００４０】
長溝部６５は、図３，８に示すように、楔部材６０のくさび挿入方向に後端側から先端側にわたって直線状に延設される。この長溝部６５は、少なくとも楔本体６１の支柱側の面に設けられる。図示の実施形態の長溝部６５は、楔本体６１の支柱側（前面側）からくさび受け側（後面側）にわたって貫通した貫通溝６５ａである。この長溝部６５では、図３，９に示すように、楔部材６０の楔着時に連結本体部２０の上側部材３０及び下側部材４０の前当部３２，４２の湾曲部３３，４３の後面が当接される。その際、図１０に示すように、連結部材１１の連通部２５内方へ湾曲した湾曲部３３（４３）の頂点３３ａ（４３ａ）近傍が長溝部６５の内部に受容され、両側の湾曲部３３（４３）のすそ３３ｂ，３３ｂ（４３ｂ，４３ｂ）側において長溝部６５の溝縁部６６が当接される。そのため、楔部材６０が挿入時及び楔着時に位置決めされて、がたつきの発生が抑制される。なお、長溝部６５では、溝幅は適宜であるが、例えば、湾曲部３３，４３の後面との当接位置が湾曲部３３，４３と支柱１の円周面２との当接位置より外側となる程度の幅とすることが当接時の安定性の観点から好ましい。
【００４１】
長溝部６５では、図８〜１０に示すように、溝縁部６６に傾斜面６７が形成され、楔部材６０の楔着時に連結部材１１の上側部材３０または下側部材４０の少なくとも一方の前当部３２，４２の湾曲部３３，４３の後面が傾斜面６７と当接嵌入されることが好ましい。より好ましくは、傾斜面６７に連結部材１１の上側部材３０及び下側部材４０の両方の前当部３２，４２の湾曲部３３，４３の後面が当接嵌入される。このように、長溝部６５に傾斜面６７を形成することにより、連結部材１１の湾曲部３３，４３がより確実に長溝部６５内部に受容されて、楔部材６０の挿入時及び楔着時の安定性が向上する。
【００４２】
次に、本発明の仮設足場用連結構造体１０の連結手順について説明する。まず、図１に示す連結解除時は、連結構造体１０の連結部材１１がくさび受け５に対して固定されず、離隔可能な状態となっている。連結解除時において、楔部材６０は、連結部材１１の連通部２５から抜き取られている。
【００４３】
連結構造体１０をくさび受け５に対して連結する際には、図２，３に示すように、連結部材１１がくさび受け５にはめ込まれ、連結本体部２０の上側部材３０がくさび受け５上に載置されるとともに、下側部材４０がくさび受け５の下方に配置される。その際、図４，１０に示すように、連結本体部２０の上側部材３０及び下側部材４０の前当部３２，４２に形成された湾曲部３３，４３の前面が、支柱１の円周面２に対して受容するように当接される。そのため、支柱１と当接する連結部材１１の安定性が向上する。また、図３，９に示すように、連結本体部２０の上側部材３０では、上前当部３２の垂下部３４がくさび受け５の筒部７内に進入することにより、はめ込み時に連結部材１１のおよその連結位置が規定されるため、連結部材１１の位置決めが容易となる。
【００４４】
このように位置決めされた連結部材１１では、連結本体部２０の連通部２５とくさび受け５の筒部７とが連通する。すなわち、上側部材３０の上連通部３５と、くさび受け５の筒部７と、下側部材４０の下連通部４５とが上下に貫通するように連通される。そして、図２，３，４，９に示すように、連通された連結本体部２０の上連通部３５とくさび受け５の筒部７と連結本体部２０の下連通部４５に対して、楔部材６０が貫通楔着される。
【００４５】
ここで、楔部材６０は、挿入時において、図１０に示すように、連結本体部２０の上側部材３０の上湾曲部３３や下側部材４０の下湾曲部４３の後面が長溝部６５内に当接されて摺動される。そのため、楔部材６０が位置決めされて、安定して挿入させることができる。特に、長溝部６５に傾斜面６７が形成されることにより、連結本体部２０の湾曲部３３，４３の後面が傾斜面６７に当接嵌入されるため、楔部材６０の安定性がさらに高まる。このように、楔部材６０が安定して挿入可能であることにより、作業性が向上して効率化を図ることができる。
【００４６】
連結本体部２０の上連通部３５とくさび受け５の筒部７と連結本体部２０の下連通部４５とに挿入された楔部材６０は、図３，４，９に示すように、くさび受け５の筒傾斜壁部６ｂと連結本体部２０の前当部３２，４２との間に差し込まれる。この時、楔本体６１の支柱側の面である直線部６２は、長溝部６５に連結本体部２０の湾曲部３３，４３が当接嵌入されていることにより、連結本体部２０の前当部３２，４２に近接または当接される。また、楔本体６１のくさび受け側の面である楔傾斜部６３は、くさび受け５の筒傾斜壁部６ｂの傾斜に対応して当接される。
【００４７】
この状態からハンマー等により楔部材６０の後端側（上側）から差し込み方向へ打ち付けることにより、楔本体６１の楔傾斜部６３がくさび受け５の筒傾斜壁部６ｂに圧接されて楔着される。この時、楔部材６０は支柱方向へ押圧されて、長溝部６５（傾斜面６７）が連結本体部２０の湾曲部３３，４３に圧接される。そして、図１０に示すように、連結本体部２０の湾曲部３３（４３）は、前面側において当接された支柱１の円周面２と、後面側において支柱１の円周面２との当接部分より外側の湾曲部３３（４３）のすそ３３ｂ，３３ｂ（４３ｂ，４３ｂ）側で当接された楔部材６０の長溝部６５の両溝縁部６６，６６（傾斜面６７，６７）とで挟持された状態となる。そのため、連結時における連結部材１１のがたつき等が発生しにくくなり、適切な位置での安定的な連結が可能となる。
【００４８】
このように連結された連結構造体１０の連結を解除する場合には、楔部材６０の先端側（下側）からハンマー等により差し込み方向の反対側へ打ち付けることにより、楔本体６１の圧接が解除されて容易に楔部材６０を抜き取ることができる。
【００４９】
図１１〜１３は、第２実施形態に係る仮設足場用連結構造体１０Ａである。この連結構造体１０Ａでは、楔部材６０の長溝部６５が連結本体部２０の上側部材３０に設けられた抜け止めバンド部７０に遊嵌係着されている。なお、以下の説明において、第１実施形態と同一符号は同一の構成を表すものとして、その説明を省略する。
【００５０】
抜け止めバンド部７０は、図１３，１４に示すように、パイプ固着部５０の上端部と上側部材３０の上前当部３２の上端部との間に架設される板状部材である。この抜け止めバンド部７０は、図１１〜１３，１５に示すように、楔部材６０の貫通溝６５ａである長溝部６５に遊嵌係着されて、連結部材１１からの楔部材６０の脱落を防止するとともに、楔部材６０のくさび挿入方向を規制する。
【００５１】
実施形態の抜け止めバンド部７０は、図１３，１４に示すように、パイプ固着部５０の上端部に一体に形成された帯状部材である。この抜け止めバンド部７０は、楔部材６０の長溝部６５が遊嵌されるとともに、上側部材３０の上前当部３２方向へ折り曲げられて、溶接等の適宜の手法により先端部が上前当部３２の上端に固定されて架設される。図１３，１４において、符号７１はパイプ固着部５０の上端部から上方へ延設された縦帯状部、７２は抜け止めバンド部７０の折曲部、７３は連結本体部２０の上連通部３５をまたぐように配置されて楔部材６０の長溝部６５に遊嵌される横帯状部、７５は抜け止めバンド部７０の横帯状部７３を溶接した抜け止めバンド部との溶接部である。
【００５２】
連結構造体１０Ａでは、図１２，１３，１５に示すように、楔部材６０の長溝部６５に連結本体部２０の上側部材３０に架設された抜け止めバンド部７０が遊嵌されているため、楔部材６０が連結部材１１から脱落することがなく、紛失等のおそれがない。そこで、例えば、図１１に示す連結解除時において、楔部材６０を連結パイプＰ上に載置することができる。この連結構造体１０Ａにあっては、楔部材６０の長溝部６５に遊嵌された抜け止めバンド部７０が、縦帯状部７１により横帯状部７３がパイプ固着部５０の上端部から上方へ離隔された位置で架設されている。そのため、連結部材１１の上部側から楔部材６０を連結パイプＰの筒方向へ引き下げることが可能となり、連結パイプＰ上に楔部材６０を脱落させることなく適切に載置させることができる。これにより、楔部材６０が連結パイプＰから不必要に突出することがなく、作業の妨げになるおそれがない。
【００５３】
また、連結構造体１０Ａの連結時では、図１２，１３に示すように、楔部材６０の長溝部６５に抜け止めバンド部７０が遊嵌されていることにより、楔部材６０は上下方向に略直動される。そのため、楔着に際して、楔部材６０のくさび挿入方向が規制されて、安定して楔部材６０を挿入させることができる。この挿入時において、楔部材６０は、図１０に示す第１実施形態と同様に、連結本体部２０の上側部材３０の上湾曲部３３や下側部材４０の下湾曲部４３の後面が長溝部６５内に当接されて摺動される。そのため、楔部材６０は、抜け止めバンド部７０によるくさび挿入方向の規制とともに、長溝部６５と連結本体部２０の湾曲部３３，４３とによる位置決めによって、より安定した挿入が可能となる。特に、長溝部６５に傾斜面６７が形成されることにより、さらに楔部材６０の安定性が高められる。従って、楔部材６０の挿入時の優れた安定性が得られ、作業性がより向上して効率化を図ることができる。
【００５４】
図１６，１７は、第３実施形態に係る仮設足場用連結構造体１０Ｂである。この連結構造体１０Ｂでは、楔部材６０の長溝部６５が、楔本体６１の支柱側の面に設けられてくさび受け側へ貫通しない凹状溝６５ｂからなる。凹状溝６５ｂは、図１８に示すように、第１実施形態と同様に楔部材６０の楔着時に連結本体部２０の湾曲部３３（４３）の後面が当接され、湾曲部３３（４３）の頂点３３ａ（４３ａ）近傍が凹状溝６５ｂの内部に受容される。そのため、楔部材６０が挿入時及び楔着時に位置決めされて、がたつきの発生が抑制される。なお、凹状溝６５ｂの溝深さは特に限定されないが、連結本体部２０の湾曲部３３（４３）との当接時に湾曲部３３（４３）を十分に受容可能であればよい。
【００５５】
また、連結構造体１０Ｂでは、図１６に示すように、楔部材６０の楔本体６１の後端側に抜け止めピン８０を設けてもよい。抜け止めピン８０は、楔本体６１の連結本体部２０の上側片部３１，３１側の面に、上側片部３１，３１間の距離より長くなるように突設される。そのため、例えば連結構造体１０Ｂの連結解除時等において、楔部材６０を連結部材１１に挿入した場合、抜け止めピン８０は上側部材３０の上側片部３１，３１に係止されて、楔部材６０の脱落が防止される。
【００５６】
図１９は、第４実施形態に係る仮設足場用連結構造体１０Ｃである。この連結構造体１０Ｃでは、図２０に示すように、楔部材６０の楔本体６１の後面に凹状のパイプ受け部６８が形成されているとともに、楔部材６０の楔本体６１の先端面に前面側から後面側にかけて先端凹面部６９が形成されている。
【００５７】
パイプ受け部６８は、楔部材６０の楔本体６１後面に後端からくさび挿入方向へ直線状に延設された連結パイプＰの外周面に対応して受容可能な凹状の部位からなる。パイプ受け部６８の形状は連結パイプＰの外周面が受容可能であれば特に限定されない。図１９に示す実施形態では、パイプ受け部６８が、貫通溝６５ａと、貫通溝６５ａに連接されるパイプ受け凹面部６８ａとで構成される。このパイプ受け部６８を有する楔部材６０は、図１９に示す連結解除時において、パイプ受け部６８が連結パイプＰの外周面を受容するように連結パイプＰ上に載置される。そのため、連結解除時に楔部材６０を連結パイプＰ上に安定して載置させることができ、連結解除状態を維持しやすくなる。
【００５８】
先端凹面部６９は、上側部材３０の上湾曲部３３及び下側部材４０の下湾曲部４３のそれぞれの内部側湾曲面に対応した湾曲面形状からなる。楔部材６０では、挿入時に連結本体部２０の上側部材３０の上湾曲部３３や下側部材４０の下湾曲部４３と楔本体６１の先端部が接触することがある。そこで、楔本体６１の先端面に先端凹面部６９を設けることにより、楔本体６１の先端部の上湾曲部３３や下湾曲部４３との引っかかりや衝突等が発生しにくくなって楔部材６０を円滑に挿入させることができる。
【００５９】
なお、本発明の仮設足場用連結構造体は、前述の実施例のみに限定されるものではなく、発明の趣旨を逸脱しない範囲において構成の一部を適宜に変更して実施することができる。例えば、第１実施形態の連結構造体における楔部材に、第３実施形態の連結構造体における楔部材に設けられた抜け止めピンを設けていることにより、楔部材の脱落を防止することができる。
【産業上の利用可能性】
【００６０】
以上のとおり、本発明の仮設足場用連結構造体は、製造誤差がある連結パイプであっても均一な長さで固設することができるとともに、連結パイプとの溶接部分の外観が良好となって強度も向上される。そのため、従来の仮設足場用連結構造体の代替として有望である。
【符号の説明】
【００６１】
１      支柱
２      円周面
５      くさび受け
６      筒壁面
６ａ    筒側壁部
６ｂ    筒傾斜壁部
７      筒部
１０，１０Ａ，１０Ｂ，１０Ｃ    仮設足場用連結構造体
１１    連結部材
２０    連結本体部
２１    接続片部
２２    傾斜辺部
２３    取付段部
２４    パイプ差込切欠部
２５    連通部
２６    後辺部
３０    上側部材
３１    上側片部
３２    上前当部
３３    上湾曲部
３３ａ  上湾曲部の頂点
３３ｂ  上湾曲部のすそ
３４    垂下部
３５    上連通部
４０    下側部材
４１    下側片部
４２    下前当部
４３    下湾曲部
４３ａ  下湾曲部の頂点
４３ｂ  下湾曲部のすそ
４５    下連通部
５０    パイプ固着部
５１    取付片部
５５    貫通孔
６０    楔部材
６１    楔本体
６２    直線部
６３    楔傾斜部
６５    長溝部
６５ａ  貫通溝
６５ｂ  凹状溝
６６    溝縁部
６７    傾斜面
６８    パイプ受け部
６８ａ  パイプ受け凹面部
６９    先端凹面部
７０    抜け止めバンド部
７１    縦帯状部
７２    折曲部
７３    横帯状部
７５    抜け止めバンドとの溶接部
８０    抜け止めピン
Ｐ      連結パイプ
Ｐ１    連結パイプの端部
Ｗ，Ｗ１      連結パイプとの溶接部
【図１】
2019194425.tif 000003
【図２】
2019194425.tif 000004
【図３】
2019194425.tif 000005
【図４】
2019194425.tif 000006
【図５】
2019194425.tif 000007
【図６】
2019194425.tif 000008
【図７】
2019194425.tif 000009
【図８】
2019194425.tif 000010
【図９】
2019194425.tif 000011
【図１０】
2019194425.tif 000012
【図１１】
2019194425.tif 000013
【図１２】
2019194425.tif 000014
【図１３】
2019194425.tif 000015
【図１４】
2019194425.tif 000016
【図１５】
2019194425.tif 000017
【図１６】
2019194425.tif 000018
【図１７】
2019194425.tif 000019
【図１８】
2019194425.tif 000020
【図１９】
2019194425.tif 000021
【図２０】
2019194425.tif 000022
【図２１】
2019194425.tif 000023